(57)【要約】【課題】  洗い場蓋設置による壁傷つきを防止した浴室ユニットの床パン構造を提供する。【解決手段】  本願発明の浴室ユニットの床パン構造は、洗い場側床パン１に形成した点検口６を閉塞する洗い場蓋７の端縁と、洗い場側床パン１側に設けた凹部１１とがスライド自在に係合することにより、洗い場蓋７が洗い場側床パン１に対してスライド自在とする。【選択図】図１
2006233439.tif 000002
【特許請求の範囲】
【請求項１】
洗い場を有する浴室ユニットの床パン構造において、床パンに形成した点検口を閉塞する洗い場蓋の端縁と、床パン側に設けた凹部とがスライド自在に係合することにより、洗い場蓋が床パンに対してスライド自在となっていることを特徴とする浴室ユニットの床パン構造。
【請求項２】
洗い場蓋の端縁に、上方に折り返した形状を有する立上り部を設け、洗い場蓋の立上り部の上方に外方に突設した凸部と、床パン側に設けた凹部とがスライド自在に係合するようにしたことを特徴とする請求項１記載の浴室ユニットの床パン構造。
【請求項３】
床パンの端部には、内方に壁載せ片が突設された壁パネル設置部が設けられており、壁載せ片と床パンの端部との間に形成された凹部に、洗い場蓋の立上り部の凸部がスライド自在に係合することを特徴とする請求項２記載の浴室ユニットの床パン構造。
【請求項４】
洗い場蓋の立上り部の凸部がスライド方向に離間して複数個配置され、浴槽側の床パンのスライド方向端部に設けられた壁パネル設置部の壁載せ片には、前記凸部と相補的な形状を有し、洗い場蓋設置の際の位置決めのための複数個の切欠が形成されていることを特徴とする請求項３記載の浴室ユニットの床パン構造。
【請求項５】
洗い場蓋は浴槽側のエプロンの内側で床パンにネジ止めされていることを特徴とする請求項１から４のいずれかに記載の浴室ユニットの床パン構造。
【発明の詳細な説明】
【技術分野】
【０００１】
本願発明は、洗い場を有する浴室ユニットの床パン構造に関するものである。
【背景技術】
【０００２】
従来より、洗い場側床パンと浴槽側床パンを備えた浴室ユニットの床パン構造では、洗い場側床パンに点検口を形成し、その点検口を閉塞するために洗い場蓋が設けられている。
【０００３】
図７に、従来の浴室ユニットの床パン構造における洗い場側の構造を模式的に断面図で示す。洗い場側床パン３１の端部は上方に起立した起立部３２となっている。また、洗い場側床パン３１の端部には、壁パネル３３を設置するための壁載せ部３４を有する壁パネル設置部３５が設けられている。壁パネル設置部３５の外側下方には、床パン３１の起立部３２と係合する凹部３６が形成されている。また、洗い場側床パン３１の適所には点検口３７が形成されており、この点検口３７を閉塞するために洗い場蓋３８が取り付けられている。洗い場蓋３８は端部が下方に垂下した立下り部３９となっている。このように洗い場蓋３８の端部が垂下して立下り部３９となった構造は、例えば特許文献１に開示されている。
【特許文献１】特開２００１−２７９７５２号公報
【発明の開示】
【発明が解決しようとする課題】
【０００４】
しかしながら、上記のような従来の床パン構造においては、洗い場蓋３８の幅寸法は浴室内方寸法より小さいものであり、洗い場蓋３８は洗い場側床パン３１の上方から落とし込む施工方法となっていた。この施工方向では、洗い場蓋３８を設置するタイミングが壁施工後となるため、誤って壁に傷をつけてしまうおそれがあった。また、洗い場蓋３８と床パン側（図７では壁パネル設置部３５を介する）の間には必然的に平面的な隙間（図７に楕円状破線で示す部位）が出現するため、床（フロア）廻りが汚れやすく、清掃も困難であった。さらに、その隙間をシール材等を用いてシールすることも行われていたが、シール材に汚れが付着しやすく、カビの付着や変色の原因となっていた。
【０００５】
本願発明は、以上のとおりの事情に鑑みてなされたもので、洗い場蓋設置による壁傷つきを防止した浴室ユニットの床パン構造を提供することを課題とする。
【０００６】
また、本願発明は、床（フロア）廻りの防汚性能を向上させることを別の課題とする。
【課題を解決するための手段】
【０００７】
本願発明の浴室ユニットの床パン構造は、上記課題を解決するため、第１には、洗い場を有する浴室ユニットの床パン構造において、床パンに形成した点検口を閉塞する洗い場蓋の端縁と、床パン側に設けた凹部とがスライド自在に係合することにより、洗い場蓋が床パンに対してスライド自在となっていることを特徴とする。
【０００８】
また、第２には、上記第１の発明において、洗い場蓋の端縁に、上方に折り返した形状を有する立上り部を設け、洗い場蓋の立上り部の上方に外方に突設した凸部と、床パン側に設けた凹部とがスライド自在に係合するようにしたことを特徴とする。
【０００９】
また、第３には、上記第２の発明において、床パンの端部には、内方に壁載せ片が突設された壁パネル設置部が設けられており、壁載せ片と床パンの端部との間に形成された凹部に、洗い場蓋の立上り部の凸部がスライド自在に係合することを特徴とする。
【００１０】
また、第４には、上記第３の発明において、洗い場蓋の立上り部の凸部がスライド方向に離間して複数個配置され、浴槽側の床パンのスライド方向端部に設けられた壁パネル設置部の壁載せ片には、前記凸部と相補的な形状を有し、洗い場蓋設置の際の位置決めのための複数個の切欠が形成されていることを特徴とする。
【００１１】
さらに、第５には、上記第１から第４のいずれかの発明において、洗い場蓋は浴槽側のエプロンの内側で床パンにネジ止めされていることを特徴とする。
【発明の効果】
【００１２】
本願請求項１の発明によれば、洗い場蓋の外周部と、床パン側に設けた凹部とがスライド自在に係合することにより、洗い場蓋を床パンに対してスライド自在となるようにしたので、洗い場蓋を壁施工前に先付けすることができるため洗い場蓋の設置による壁傷つきを防止することができる。
【００１３】
本願請求項２の発明によれば、請求項１の発明と同様な効果が得られる上、洗い場蓋の外周部を上方に折り返した形状を有する立上り部としたので、床（フロア）廻りの防汚性能を向上させることができる。
【００１４】
本願請求項３の発明によれば、請求項２の発明と同様な効果が得られる上、壁載せ片を設けた壁パネル設置部を用いて洗い場蓋を床パンに対してスライド自在としたので、例えば壁パネル設置部を床パンとは別体の幅木として設けることにより、床パン構造の施工の自由度が大きくなる。
【００１５】
本願請求項４の発明によれば、上記効果に加え、浴槽側において洗い場蓋の位置合わせを行い、洗い場蓋の立上り部の凸部を、床パン側の凹部に挿入することができるため、洗い場蓋の施工が容易となる利点がある。
【００１６】
本願請求項５の発明によれば、上記効果に加え、洗い場蓋を浴槽側のエプロンの内側で床パンにネジ止めするため、洗い場蓋の固定が容易となり、また浴室の見栄えをよいものとすることができる。
【発明を実施するための最良の形態】
【００１７】
本願発明は上記のとおりの特徴をもつものであるが、以下にその実施の形態について説明する。
【００１８】
図１は、本願発明による浴室ユニットの床パン構造の第１実施形態における洗い場側の構造を模式的に示す斜視断面図、図２は、第１実施形態における洗い場側の断面図（洗い場蓋のスライド方向と直角な方向の断面図）、図３は、洗い場蓋の立上り部の凸部と床パン側（壁パネル設置部側）の凹部の関係を示す斜視断面図、図４は、洗い場蓋のスライド方向に沿った断面図である。
【００１９】
本実施形態では、洗い場側床パン１は全体平面形状が略四角形状となっており、４つの端部のうち、浴槽側端部以外の３つの端部は上方に起立した起立部２となっている。また、洗い場側床パン１の端部には、壁パネル３を設置するための壁載せ片４を有する壁パネル設置部５が設けられている。また、洗い場側床パン１の適所には点検口６が形成されており、この点検口６を閉塞するために洗い場蓋７が取り付けられている。洗い場蓋７は端部が上方に折り返した形状を有する立上り部８となっている。立上り部８の上方には外方に向けて突出する凸部９が設けられている。洗い場蓋７のスライド方向と直角な方向の寸法は、浴室内方寸法より大きく設定する。
【００２０】
壁パネル設置部５は、洗い場側床パン１とは別体の部材（幅木）となっており、上方には内方に向かって突出する壁載せ片４が突設され、そこに壁パネル３を載せることができるようになっている。また壁パネル設置部５の壁載せ片４の下方には洗い場蓋７の立上り部８と相補的な形状を有する凹所１０が形成され、その一部が係合のための凹部１１となっている。この凹部１１も洗い場蓋７の立上り部８の凸部９と相補的な形状となっている。凹所１０内に洗い場蓋７の立上り部８が収容され、さらに凹部１１と洗い場蓋７の立上り部８の凸部９とがスライド自在に係合し、洗い場蓋７は壁パネル設置部５を介して洗い場側床パン１に対してスライド自在となっている。そして、壁パネル３の内壁（意匠面）１２と洗い場蓋７の立上り部８の内壁１３とがほぼ同一面（面一）となり、浴室を見栄えのよいものとしている。また、壁パネル設置部５の外側下方にも洗い場側床パン１の起立部２と相補的な形状を有する凹部１４が形成され、その凹部１４と洗い場側床パン１の起立部２が係合するようになっている。
【００２１】
壁パネル３と壁パネル設置部５の壁載せ片４との間の間隙と、壁パネル設置部５の壁載せ片４と洗い場蓋７の立上り部８の上面（凸部９の上面）との間の間隙は、たとえば１箇所でシール材によりシールすることにより、止水性を持たせることができる。この場合、壁載せ片４の厚みは壁パネル３の設置に支障のない程度の肉薄とすることが好ましい。１箇所でのシール、すなわち１本の目地仕上がりとすると、浴室が見栄えのよいものとなる。
【００２２】
洗い場蓋７の固定は、図４に示すように起立部１５と折り返し部１６を有する浴槽側端部で、浴槽のエプロンの内側において、例えば図中の矢印の方向（上方又は側方）からネジ止めにより固定することができる。このような固定方法にすると、固定部分がエプロンで隠れるため、浴室が見栄えのよいものとなる。
【００２３】
本実施形態で洗い場蓋７の施工をする場合、洗い場側床パン１に壁パネル設置部５を幅木として取り付けた後、浴槽側から洗い場蓋７の立上り部８の凸部９を、壁パネル設置部５の凹所１０の凹部１１に挿入し、そのままスライドさせて浴槽と反対側の端部まで押し込む。そして洗い場蓋７を、浴槽のエプロンの内側となる位置において、起立部１５と折り返し部１６を有する浴槽側端部の所でネジ止めにより固定する。洗い場蓋７の設置の後に壁パネル３の施工を行う。
【００２４】
上記のようにすると、洗い場蓋７の隅部に平面的な隙間が現れないため床（フロア）廻りの防汚性能を向上させることができ、また洗い場蓋７を壁施工前に先付けすることができるため洗い場蓋７の設置による壁傷つきを防止することができる。さらに浴室の見栄えも良いものとすることができる。
【００２５】
次に、本願発明による浴室ユニットの床パン構造の第２実施形態を説明する。
【００２６】
図５は、第２実施形態の洗い場蓋と、浴槽側まで延設された壁パネル設置部の浴槽側とが係合する部分を示す斜視断面図、図６は、洗い場側と浴槽側に設けられた壁パネル設置部を模式的に示す平面図である。図５及び図６においては図１〜図４の構造と相違する部分のみ示し、同じ要素には同じ符号を付してある。
【００２７】
第１実施形態では、洗い場蓋の施工を浴槽側から横方向に挿入する方式で行ったが、第２実施形態では、洗い場蓋の施工を別の方式で行う。ここでは重複説明を避けるため、第１実施形態と異なる構造についての説明を中心に行う。
【００２８】
本実施形態における洗い場側床パン１の構造は第１実施形態と同じである。洗い場側床パン１の端部には、壁パネル設置部５が設けられているが、図６に示すように、浴槽側の壁パネル設置部５にはスライド方向に離間してそれぞれ２箇所ずつ、計４つの切欠２０が形成されている。一方、洗い場蓋７の立上り部８の上方には外方に向けて突出する凸部２１がスライド方向全体にわたってではなく、スライド方向に離間してそれぞれ２つずつ形成されている。もちろん切欠２０と凸部２１の個数は任意に設定することができる。切欠２０と凸部２１とは相補的な形状となっており、浴槽側において壁パネル設置部５の切欠２０と洗い場蓋７の立上り部８の凸部２１が位置合わせされ、上方から凸部２１が切欠２０に入り込み、壁パネル設置部５の凹部１１と係合するようになっている。従って、洗い場蓋７は上方から壁パネル設置部５に嵌め込まれ、その後、凹部１１と凸部２１のスライド自在の係合により、横方向にスライドされ、取り付けが行われるようになっている。第２実施形態では、浴槽と反対側の壁パネル設置部５の構造は第１実施形態と同じにすることができる。
【００２９】
第２実施形態によれば、第１実施形態と同様なすぐれた効果が得られる上、洗い場蓋の施工がより容易となる利点がある。
【００３０】
以上、本願発明を一実施形態に基づいて説明したが、もちろん本願発明は上記実施形態に限定されるものではなく、種々の変形、変更が可能である。
【００３１】
例えば、上記実施形態では、壁パネル設置部は床パンと別体のもの（幅木）としたが、本願発明によれば、両者を一体化させてもよい。
【００３２】
また、上記実施形態では、洗い場蓋の浴槽側は浴槽のエプロンの内部においてネジ止め固定したが、本願発明によれば、洗い場蓋の浴槽側端部を幅木の後付けにより固定するようにしてもよい。
【００３３】
さらに、上記実施形態では、洗い場蓋の外周部に、上方に折り返した形状を有する立上り部を設け、洗い場蓋の立上り部の上方に外方に突設した凸部と、床パン側に設けた凹部とがスライド自在に係合するようにしたが、本願発明によれば、立上り部を設けずに、洗い場蓋の外周部と床パン側に設けた凹部とがスライド自在に係合するようにしてもよい。
【図面の簡単な説明】
【００３４】
【図１】本願発明による浴室ユニットの床パン構造の第１実施形態における洗い場側の構造を模式的に示す断面図である。
【図２】第１実施形態における洗い場側の断面図（洗い場蓋のスライド方向と直角な方向の断面図）である。
【図３】第１実施形態における洗い場蓋の立上り部の凸部と床パン側（壁パネル設置部側）の凹部の関係を示す斜視断面図である。
【図４】第１実施形態における洗い場蓋のスライド方向に沿った断面図である。ドア設置部の下部構造を模式的に示す断面図である。
【図５】第２実施形態における洗い場蓋と浴槽側まで延設された壁パネル設置部の浴槽側とが係合する部分を示す斜視断面図である。
【図６】第２実施形態における洗い場側と浴槽側に設けられた壁パネル設置部を模式的に示す平面図である。
【図７】従来の浴室ユニットの床パン構造における洗い場側の構造を模式的に示す断面図である。
【符号の説明】
【００３５】
１    洗い場側床パン
２    起立部
３    壁パネル
４    壁載せ片
５    壁パネル設置部
６    点検口
７    洗い場蓋
８    立上り部
９    凸部
１０    凹所
１１    凹部
１２    壁パネルの内壁（意匠面）
１３    洗い場蓋の立上り部の内壁
１４    凹部
１５    起立部
１６    折り返し部
２０    切欠
２１    凸部
【図１】
2006233439.tif 000003
【図２】
2006233439.tif 000004
【図３】
2006233439.tif 000005
【図４】
2006233439.tif 000006
【図５】
2006233439.tif 000007
【図６】
2006233439.tif 000008
【図７】
2006233439.tif 000009